(57)【特許請求の範囲】
【請求項１】
下記の要件（Ａ01）〜（Ａ06）を備えたことを特徴とする画像形成装置、
（Ａ01）内側転写ロールを含む複数の支持ロールにより回転可能に支持され、且つ表面にトナー像が形成されるトナー像担持ベルト、
（Ａ02）前記トナー像担持ベルトを挟んで前記内側転写ロールに対向して配置されるとともに前記トナー像担持ベルトとの間に転写領域を形成する外側転写部材、
（Ａ03）前記トナー像担持ベルト上のトナー像が前記転写領域を通過する際に前記転写領域に記録シートを通過させるシート搬送装置、
（Ａ04）前記内側転写ロールおよび外側転写部材を有するとともに、前記内側転写ロールおよび外側転写部材間に転写電圧が印加されたときに前記転写領域を通過する記録シート上に前記トナー像担持ベルト上のトナー像を転写する転写器、
（Ａ05）前記転写領域通過後のトナー像担持ベルト内側に前記トナー像担持ベルトと非接触状態で前記トナー像担持ベルトに沿って配置された転写領域下流側の電界を調節する電界調節用導電性部材、
（Ａ06）前記転写領域下流側において前記外側転写部材および内側転写ロール間に形成される電界を弱める電位を前記電界調節用導電性部材に付与する電界調節電位付与手段。
【請求項２】
下記の要件（Ａ07）を備えたことを特徴とする請求項１記載の画像形成装置、
（Ａ07）前記電界調節用導電性部材の前記内側転写ロールに近接する端部であるロール対向端部を被覆する絶縁性遮蔽部材。
【請求項３】
下記の要件（Ｂ01）〜（Ｂ06）を備えたことを特徴とする画像形成装置、
（Ｂ01）内側転写ロールを含む複数の支持ロールにより回転可能に支持され、且つ表面にトナー像が形成されるトナー像担持ベルト、
（Ｂ02）前記トナー像担持ベルトを挟んで前記内側転写ロールに対向して配置されるとともに前記トナー像担持ベルトとの間に転写領域を形成する外側転写部材、
（Ｂ03）前記トナー像担持ベルト上のトナー像が前記転写領域を通過する際に前記転写領域に記録シートを通過させるシート搬送装置、
（Ｂ04）前記内側転写ロールおよび外側転写部材を有するとともに、前記内側転写ロールおよび外側転写部材間に転写電圧が印加されたときに前記転写領域を通過する記録シート上に前記トナー像担持ベルト上のトナー像を転写する転写器、
（Ｂ05）前記転写領域通過前のトナー像担持ベルト内側に前記トナー像担持ベルトと非接触状態で前記トナー像担持ベルトに沿って配置された転写領域上流側の電界を調節する電界調節用導電性部材、
（Ｂ06）前記転写領域上流側において前記外側転写部材および内側転写ロール間に形成される電界を弱める電位を前記電界調節用導電性部材に付与する電界調節電位付与手段。
【請求項４】
下記の要件（Ｂ07）を備えたことを特徴とする請求項３記載の画像形成装置、
（Ｂ07）前記電界調節用導電性部材の前記内側転写ロールに近接する端部であるロール対向端部を被覆する絶縁性遮蔽部材。
【請求項５】
下記の要件（Ｃ01）〜（Ｃ06）を備えたことを特徴とする画像形成装置、
（Ｃ01）内側転写ロールを含む複数の支持ロールにより回転可能に支持され、且つ表面にトナー像が形成されるトナー像担持ベルト、
（Ｃ02）前記トナー像担持ベルトを挟んで前記内側転写ロールに対向して配置されるとともに前記トナー像担持ベルトとの間に転写領域を形成する外側転写部材、
（Ｃ03）前記トナー像担持ベルト上のトナー像が前記転写領域を通過する際に前記転写領域に記録シートを通過させるシート搬送装置、
（Ｃ04）前記内側転写ロールおよび外側転写部材を有するとともに、前記内側転写ロールおよび外側転写部材間に転写電圧が印加されたときに前記転写領域を通過する記録シート上に前記トナー像担持ベルト上のトナー像を転写する転写器、
（Ｃ05）前記転写領域通過後のトナー像担持ベルト内側に前記トナー像担持ベルトと接触状態または非接触状態で前記トナー像担持ベルトに沿って配置された転写領域下流側の電界を調節する弾性材料製の電界調節用導電性部材、
（Ｃ06）前記転写領域下流側において前記外側転写部材および内側転写ロール間に形成される電界を弱める電位を前記電界調節用導電性部材に付与する電界調節電位付与手段。
【請求項６】
下記の要件（Ｃ07）を備えたことを特徴とする請求項５記載の画像形成装置、
（Ｃ07）前記電界調節用導電性部材の前記トナー像担持ベルトと反対側部分を被覆する剛性の板状絶縁部材。
【請求項７】
下記の要件（Ｃ08）を備えたことを特徴とする請求項５または６記載の画像形成装置、
（Ｃ08）前記電界調節用導電性部材の前記内側転写ロールに近接する端部の位置である上流端をＰaとし、前記転写領域を通過する記録シートの進行方向に引いた直線Ｌ1と前記上流端Ｐaを通り且つ前記直線Ｌ1に垂直な直線Ｌ2との交点をＰbとし、前記直線Ｌ2とトナー像担持ベルトとの交点をＰcとし、前記ＰaおよびＰcの距離をｅ、ＰbおよびＰcの距離をｆとした場合に、前記ｅおよびｆが式ｅ≦ｆを満たすように配置された前記内側転写ロール、前記外側転写部材および前記電界調節用導電性部材。
【請求項８】
下記の要件（Ｃ09），（Ｃ010）を備えたことを特徴とする請求項５ないし７のいずれか記載の画像形成装置、
（Ｃ09）前記転写領域下流側に配置されて前記転写領域を通過した記録シートをガイドする下流側シートガイド、
（Ｃ010）前記転写領域を通過する記録シートの進行方向に引いた直線Ｌ1と前記電界調節用導電性部材の前記内側転写ロールから離れた端部である下流端を通り且つ前記直線Ｌ1に垂直な直線Ｌ3との交点をＰ1、前記直線Ｌ3とトナー像担持ベルトとの交点をＰ2、前記直線Ｌ3と前記シートガイドとの交点をＰ3とし、前記Ｐ1およびＰ2間の距離をｇ、前記Ｐ1およびＰ3間の距離をｈとした場合に、前記ｇおよびｈが式ｈ≦ｇを満たすように配置された前記内側転写ロール、前記外側転写部材、前記電界調節用導電性部材、前記トナー像担持ベルトおよび前記シートガイド。
【発明の詳細な説明】
【０００１】
【発明の属する技術分野】
本発明は、静電潜像が書き込まれた後、前記静電潜像がトナー像に現像される感光体ベルト、または、像担持体上に形成されたトナー像が１次転写される中間転写ベルト等のトナー像担持ベルトを備えた画像形成装置に関する。
【０００２】
【従来の技術】
前記トナー像担持ベルトを用いた画像形成装置において、転写領域通過後の記録シートが中間転写体から剥離せず、定着装置側に搬送されず、紙詰まりや画像乱れが生じるという問題点があった。
これは転写時に帯電した記録シートが転写部付近に形成された転写電界の力を受けてトナー像担持ベルトの方へ引きつけられるために起こると考えられる。
【０００３】
従来、トナー像担持ベルトからトナー像を転写された記録シートのトナー像転写後の剥離不良を解決するための技術として、次の技術（Ｊ01），（Ｊ02）が知られている。
（Ｊ01）特開平６−１４９０７４号公報記載の技術
この公報には、記録シートへの転写部の下流側、且つ転写後の記録シートと感光体ベルトとの間の位置に記録シート除電部材を設ける技術が記載されている。
（Ｊ02）特公平８−２３７１９号公報記載の技術
この公報には記録シートへのトナー像転写部の下流側、転写ローラの記録シート排出側に、アース金属板と、それに転写ローラ側から当接し転写部側に突出した絶縁性遮蔽板とからなる剥離プレートを設ける技術が記載されている。
【０００４】
【発明が解決しようとする課題】
前記従来技術には次の問題点がある。
（前記（Ｊ01）の問題点）
前記（Ｊ01）の技術は、記録シートを除電することにより、記録シートが感光体ベルトに静電的に吸着されるのを防ぐ技術であるが、感光体ベルトに近接した除電部材からの放電により、感光体ベルトの電気的特性の変化や放電生成物の付着といった障害が起こることがある。
（前記（Ｊ02）の問題点）
前記（Ｊ02）の技術は、記録シートの帯電そのものを利用して記録シートをトナー像担持ベルトの逆側に引きつける技術であるが、高含水の薄紙など腰の弱い記録シートの場合には、剥離後の垂れ下がりによって記録シート先端が剥離プレートに接触し、紙詰まりや画像乱れを起こすことがある。
【０００５】
本発明は前記事情に鑑み、次の記載内容（Ｏ01）〜（Ｏ03）を技術的課題とする。
（Ｏ01）除電用の高電圧電源を必要とする除電器を使用せずに、トナー像担持ベルトからの記録シートの剥離を安定して行えるようにすること。
（Ｏ02）記録シート搬送の障害となる可能性のある部材を記録シートの搬送経路上に配置せずに、トナー像担持ベルトからの記録シートの剥離を安定して行えるようにすること。
（Ｏ03）環境や記録シートの特性に依存せずに、トナー像担持ベルトからの記録シートの剥離を安定して行えるようにすること。
【０００６】
【課題を解決するための手段】
次に、前記課題を解決するための本発明を説明するが、本発明の要素には、後述の実施例の要素との対応を容易にするため、実施例の要素の符号をカッコ（）で囲んだものを付記する。
なお、本発明を後述の実施例の符号と対応させて説明する理由は、本発明の理解を容易にするためであり、本発明の範囲を実施例に限定するためではない。
【０００７】
（第１発明）
前記課題を解決するために、第１発明の画像形成装置は、下記の要件（Ａ01）〜（Ａ06）を備えたことを特徴とする、
（Ａ01）内側転写ロール（２９）を含む複数の支持ロール（２５〜２９）により回転可能に支持され、且つ表面にトナー像が形成されるトナー像担持ベルト（Ｂ）、
（Ａ02）前記トナー像担持ベルト（Ｂ）を挟んで前記内側転写ロール（２９）に対向して配置されるとともに前記トナー像担持ベルト（Ｂ）との間に転写領域（Ｑ4）を形成する外側転写部材（３０）、
（Ａ03）前記トナー像担持ベルト（Ｂ）上のトナー像が前記転写領域（Ｑ4）を通過する際に前記転写領域（Ｑ4）に記録シートを通過させるシート搬送装置（４２〜４７）、
（Ａ04）前記内側転写ロール（２９）および外側転写部材（３０）を有するとともに、前記内側転写ロール（２９）および外側転写部材（３０）間に転写電圧が印加されたときに前記転写領域（Ｑ4）を通過する記録シート上に前記トナー像担持ベルト（Ｂ）上のトナー像を転写する転写器（Ｔ2）、
（Ａ05）前記転写領域（Ｑ4）通過後のトナー像担持ベルト（Ｂ）内側に前記トナー像担持ベルト（Ｂ）と非接触状態で前記トナー像担持ベルト（Ｂ）に沿って配置された転写領域（Ｑ4）下流側の電界を調節する電界調節用導電性部材（５１）、
（Ａ06）前記転写領域（Ｑ4）下流側において前記外側転写部材（３０）および内側転写ロール（２９）間に形成される電界を弱める電位を前記電界調節用導電性部材（５１）に付与する電界調節電位付与手段（５３；５４）。
【０００８】
（第１発明の作用）
前記構成を備えた第１発明の画像形成装置では、内側転写ロール（２９）を含む複数の支持ロール（２５〜２９）により回転可能に支持されたトナー像担持ベルト（Ｂ）の表面にトナー像が形成される。
前記トナー像担持ベルト（Ｂ）を挟んで前記内側転写ロール（２９）に対向して配置される外側転写部材（３０）は、前記トナー像担持ベルト（Ｂ）との間に転写領域（Ｑ4）を形成する。
シート搬送装置（４２〜４７）は、前記トナー像担持ベルト（Ｂ）上のトナー像が前記転写領域（Ｑ4）を通過する際に前記転写領域（Ｑ4）に記録シートを通過させる。
前記内側転写ロール（２９）および外側転写部材（３０）を有する転写器（Ｔ2）は、前記内側転写ロール（２９）および外側転写部材（３０）間に転写電圧が印加されたときに前記転写領域（Ｑ4）を通過する記録シート上に前記トナー像担持ベルト（Ｂ）上のトナー像を転写する。
前記転写領域（Ｑ4）通過後のトナー像担持ベルト（Ｂ）内側に前記トナー像担持ベルト（Ｂ）と非接触状態で前記トナー像担持ベルト（Ｂ）に沿って配置された電界調節用導電性部材（５１）は、電界調節電位付与手段（５３；５４）により、前記転写領域（Ｑ4）下流側において前記外側転写部材（３０）および内側転写ロール（２９）間に形成される電界を弱める電位が付与される。
したがって、転写領域（Ｑ4）を通過した記録シートをトナー像担持ベルト（Ｂ）側に引き寄せる電界が弱まるので、トナー像担持ベルト（Ｂ）への記録シートの吸着によるジャム（紙詰まり）が減少する。
【０００９】
（第２発明）
第２発明の画像形成装置は、下記の要件（Ｂ01）〜（Ｂ06）を備えたことを特徴とする、
（Ｂ01）内側転写ロール（２９）を含む複数の支持ロール（２５〜２９）により回転可能に支持され、且つ表面にトナー像が形成されるトナー像担持ベルト（Ｂ）、
（Ｂ02）前記トナー像担持ベルト（Ｂ）を挟んで前記内側転写ロール（２９）に対向して配置されるとともに前記トナー像担持ベルト（Ｂ）との間に転写領域（Ｑ4）を形成する外側転写部材（３０）、
（Ｂ03）前記トナー像担持ベルト（Ｂ）上のトナー像が前記転写領域（Ｑ4）を通過する際に前記転写領域（Ｑ4）に記録シートを通過させるシート搬送装置（４２〜４７）、
（Ｂ04）前記内側転写ロール（２９）および外側転写部材（３０）を有するとともに、前記内側転写ロール（２９）および外側転写部材（３０）間に転写電圧が印加されたときに前記転写領域（Ｑ4）を通過する記録シート上に前記トナー像担持ベルト（Ｂ）上のトナー像を転写する転写器（Ｔ2）、
（Ｂ05）前記転写領域（Ｑ4）通過前のトナー像担持ベルト（Ｂ）内側に前記トナー像担持ベルト（Ｂ）と非接触状態で前記トナー像担持ベルト（Ｂ）に沿って配置された転写領域（Ｑ4）上流側の電界を調節する電界調節用導電性部材（５５）、
（Ｂ06）前記転写領域（Ｑ4）上流側において前記外側転写部材（３０）および内側転写ロール（２９）間に形成される電界を弱める電位を前記電界調節用導電性部材（５５）に付与する電界調節電位付与手段（５７）。
【００１０】
（第２発明の作用）
前記構成を備えた第２発明の画像形成装置では、前記転写領域（Ｑ4）に進入前のトナー像担持ベルト（Ｂ）内側に前記トナー像担持ベルト（Ｂ）と非接触状態で前記トナー像担持ベルト（Ｂ）に沿って配置された電界調節用導電性部材（５５）は、電界調節電位付与手段（５７）により、前記転写領域（Ｑ4）上流側において前記外側転写部材（３０）および内側転写ロール（２９）間に形成される電界を弱める電位が付与される。
したがって、転写領域（Ｑ4）に進入前のトナー像担持ベルト（Ｂ）上のトナーを飛散させる電界が弱まるので、トナー像担持ベルト（Ｂ）上のトナーの乱れを減少させることができる。
【００１１】
（第３発明）
第３発明の画像形成装置は、下記の要件（Ｃ01）〜（Ｃ06）を備えたことを特徴とする、
（Ｃ01）内側転写ロール（２９）を含む複数の支持ロール（２５〜２９）により回転可能に支持され、且つ表面にトナー像が形成されるトナー像担持ベルト（Ｂ）、
（Ｃ02）前記トナー像担持ベルト（Ｂ）を挟んで前記内側転写ロール（２９）に対向して配置されるとともに前記トナー像担持ベルト（Ｂ）との間に転写領域（Ｑ4）を形成する外側転写部材（３０）、
（Ｃ03）前記トナー像担持ベルト（Ｂ）上のトナー像が前記転写領域（Ｑ4）を通過する際に前記転写領域（Ｑ4）に記録シートを通過させるシート搬送装置（４２〜４７）、
（Ｃ04）前記内側転写ロール（２９）および外側転写部材（３０）を有するとともに、前記内側転写ロール（２９）および外側転写部材（３０）間に転写電圧が印加されたときに前記転写領域（Ｑ4）を通過する記録シート上に前記トナー像担持ベルト（Ｂ）上のトナー像を転写する転写器（Ｔ2）、
（Ｃ05）前記転写領域（Ｑ4）通過後のトナー像担持ベルト（Ｂ）内側に前記トナー像担持ベルト（Ｂ）と接触状態または非接触状態で前記トナー像担持ベルト（Ｂ）に沿って配置された転写領域（Ｑ4）下流側の電界を調節する弾性材料製の電界調節用導電性部材（５１）、
（Ｃ06）前記転写領域（Ｑ4）下流側において前記外側転写部材（３０）および内側転写ロール（２９）間に形成される電界を弱める電位を前記電界調節用導電性部材（５１）に付与する電界調節電位付与手段（５３）。
【００１２】
（第３発明の作用）
前記構成を備えた第１発明の画像形成装置では、内側転写ロール（２９）を含む複数の支持ロール（２５〜２９）により回転可能に支持されたトナー像担持ベルト（Ｂ）の表面にトナー像が形成される。
前記トナー像担持ベルト（Ｂ）を挟んで前記内側転写ロール（２９）に対向して配置される外側転写部材（３０）は、前記トナー像担持ベルト（Ｂ）との間に転写領域（Ｑ4）を形成する。
シート搬送装置（４２〜４７）は、前記トナー像担持ベルト（Ｂ）上のトナー像が前記転写領域（Ｑ4）を通過する際に前記転写領域（Ｑ4）に記録シートを通過させる。
前記内側転写ロール（２９）および外側転写部材（３０）を有する転写器（Ｔ2）は、前記内側転写ロール（２９）および外側転写部材（３０）間に転写電圧が印加されたときに前記転写領域（Ｑ4）を通過する記録シート上に前記トナー像担持ベルト（Ｂ）上のトナー像を転写する。
前記転写領域（Ｑ4）通過後のトナー像担持ベルト（Ｂ）内側に前記トナー像担持ベルト（Ｂ）と非接触状態で前記トナー像担持ベルト（Ｂ）に沿って配置された電界調節用導電性部材（５１）は、電界調節電位付与手段（５３）により、前記転写領域（Ｑ4）下流側において前記外側転写部材（３０）および内側転写ロール（２９）間に形成される電界を弱める電位が付与される。
したがって、転写領域（Ｑ4）を通過した記録シートをトナー像担持ベルト（Ｂ）側に引き寄せる電界が弱まるので、トナー像担持ベルト（Ｂ）への記録シートの吸着によるジャム（紙詰まり）が減少する。
前記弾性材料製の電界調節用導電性部材（５１）は、前記転写領域（Ｑ4）通過後のトナー像担持ベルト（Ｂ）内側に前記トナー像担持ベルト（Ｂ）と接触状態または非接触状態で配置して使用できる。また前記電界調節用導電性部材（５１）は弾性を有するので、非接触状態で使用していた際に、トナー像担持ベルト（Ｂ）の位置変動によってトナー像担持ベルト（Ｂ）と接触しても、トナー像担持ベルト（Ｂ）を傷付けることが無い。
【００１３】
【発明の実施の形態】
（第１発明の実施の形態１）
第１発明の画像形成装置の実施の形態１は、前記第１発明において下記の要件（Ａ07）を備えたことを特徴とする。
（Ａ07）前記電界調節用導電性部材（５１）の前記内側転写ロール（２９）に対向する端部であるロール対向端部を被覆する絶縁性遮蔽部材（５２）。
【００１４】
（第１発明の実施の形態１の作用）
前記構成を備えた第１発明の実施の形態１では、前記電界調節用導電性部材（５１）の前記内側転写ロール（２９）に対向する部分であるロール対向部分を被覆する絶縁性遮蔽部材（５２）により、前記電界調節用導電性部材（５１）および前記内側転写ロール（２９）間の漏電（放電）を防止することができる。
【００１５】
（第２発明の実施の形態１）
第２発明の画像形成装置の実施の形態１は、前記第２発明において下記の要件（Ｂ07）を備えたことを特徴とする。
（Ｂ07）前記電界調節用導電性部材（５５）の前記内側転写ロール（２９）に対向する端部であるロール対向端部を被覆する絶縁性遮蔽部材（５６）。
【００１６】
（第２発明の実施の形態１の作用）
前記構成を備えた第２発明の実施の形態１では、前記電界調節用導電性部材（５５）の前記内側転写ロール（２９）に対向する端部であるロール対向端部を被覆する絶縁性遮蔽部材（５７）により、前記電界調節用導電性部材（５５）および前記内側転写ロール（２９）間の漏電（放電）を防止することができる。
【００１７】
（第３発明の実施の形態１）
第３発明の画像形成装置の実施の形態１は、前記第３発明において下記の要件（Ｃ07）を備えたことを特徴とする。
（Ｃ07）前記電界調節用導電性部材（５１）の前記トナー像担持ベルト（Ｂ）と反対側部分を被覆する剛性の板状絶縁部材（５２）。
【００１８】
（第３発明の実施の形態１の作用）
前記構成を備えた第２発明の実施の形態１では、剛性の板状絶縁部材（５２）は、前記電界調節用導電性部材（５１）の前記トナー像担持ベルト（Ｂ）と反対側部分を被覆する。前記電界調節用導電性部材（５１）を内側転写ロール（２９）に接近して配置しても、前記板状絶縁部材（５２）により、電界調節用導電性部材（５１）および内側転写ロール（２９）間の放電を防止することができる。また、剛性の板状絶縁部材（５２）を使用することにより弾性材料製の電界調節用導電性部材（５１）を所定位置に板状に支持することができる。
【００１９】
（第３発明の実施の形態２）
第３発明の画像形成装置の実施の形態２は、前記第３発明または第３発明の実施の形態１において下記の要件（Ｃ08）を備えたことを特徴とする。
（Ｃ08）前記電界調節用導電性部材（５１）の前記内側転写ロール（２９）に近接する端部の位置である上流端をＰaとし、前記転写領域（Ｑ4）を通過する記録シートの進行方向に引いた直線Ｌ1と前記上流端Ｐaを通り且つ前記直線Ｌ1に垂直な直線Ｌ2との交点をＰbとし、前記直線Ｌ2とトナー像担持ベルト（Ｂ）との交点をＰcとし、前記ＰaおよびＰcの距離をｅ、ＰbおよびＰcの距離をｆとした場合に、前記ｅおよびｆが式ｅ≦ｆを満たすように配置された前記内側転写ロール（２９）、前記外側転写部材（３０）および前記電界調節用導電性部材（５１）。
【００２０】
（第３発明の実施の形態２の作用）
前記構成を備えた第３発明の画像形成装置の実施の形態２では、前記電界調節用導電性部材（５１）の前記内側転写ロール（２９）に近接する端部の位置である上流端をＰaとし、前記転写領域（Ｑ4）を通過する記録シートの進行方向に引いた直線Ｌ1と前記上流端Ｐaを通り且つ前記直線Ｌ1に垂直な直線Ｌ2との交点をＰbとし、前記直線Ｌ2とトナー像担持ベルト（Ｂ）との交点をＰcとし、前記ＰaおよびＰcの距離をｅ、ＰbおよびＰcの距離をｆとした場合に、前記内側転写ロール（２９）、前記外側転写部材（３０）および前記電界調節用導電性部材（５１）は、前記ｅおよびｆが式ｅ≦ｆを満たすように配置される。
この場合、転写領域（Ｑ4）を通過した記録シートの先端が前記直線Ｌ1に沿って搬送され、前記直線Ｌ2上に到達したとき、前記シート先端とトナー像担持ベルト（Ｂ）との間隔は、前記トナー像担持ベルト（Ｂ）と前記電界調節用導電性部材（５１）との間隔よりも長い。したがって、トナー像担持ベルト（Ｂ）が帯電している場合、トナー像担持ベルト（Ｂ）は、前記間隔の短い電界調節用導電性部材（５１）との間で電荷の移動が行われるので、前記間隔の長い前記記録シートとの間の電界は小さくなる。
このため、前記記録シートがトナー像担持ベルト（Ｂ）から受ける静電力は弱くなり、記録シートがトナー像担持ベルト（Ｂ）に吸着され難くなる。
【００２１】
（第３発明の実施の形態３）
第３発明の画像形成装置の実施の形態３は、前記第３発明または第３発明の実施の形態１もしくは２において下記の要件（Ｃ09），（Ｃ010）を備えたことを特徴とする、
（Ｃ09）前記転写領域（Ｑ4）下流側に配置されて前記転写領域（Ｑ4）を通過した記録シートをガイドする下流側シートガイド（４６）、
（Ｃ010）前記転写領域（Ｑ4）を通過する記録シートの進行方向に引いた直線Ｌ1と前記電界調節用導電性部材（５１）の前記内側転写ロール（２９）から離れた端部である下流端を通り且つ前記直線Ｌ1に垂直な直線Ｌ3との交点をＰ1、前記直線Ｌ3とトナー像担持ベルト（Ｂ）との交点をＰ2、前記直線Ｌ3と前記シートガイドとの交点をＰ3とし、前記Ｐ1およびＰ2間の距離をｇ、前記Ｐ1およびＰ3間の距離をｈとした場合に、前記ｇおよびｈが式ｈ≦ｇを満たすように配置された前記内側転写ロール（２９）、前記外側転写部材（３０）、前記電界調節用導電性部材（５１）、前記トナー像担持ベルト（Ｂ）および前記下流側シートガイド（４６）。
【００２２】
（第３発明の実施の形態３の作用）
前記構成を備えた第３発明の画像形成装置の実施の形態３では、前記転写領域（Ｑ4）下流側に配置された下流側シートガイド（４６）は、前記転写領域（Ｑ4）を通過した記録シートをガイドする。
前記転写領域（Ｑ4）を通過する記録シートの進行方向に引いた直線Ｌ1と前記電界調節用導電性部材（５１）の前記内側転写ロール（２９）から離れた端部である下流端を通り且つ前記直線Ｌ1に垂直な直線Ｌ3との交点をＰ1、前記直線Ｌ3とトナー像担持ベルト（Ｂ）との交点をＰ2、前記直線Ｌ3と前記下流側シートガイド（４６）との交点をＰ3とし、前記Ｐ1およびＰ2間の距離をｇ、前記Ｐ1およびＰ3間の距離をｈとした場合に、前記内側転写ロール（２９）、前記外側転写部材（３０）、前記電界調節用導電性部材（５１）、前記トナー像担持ベルト（Ｂ）および前記下流側シートガイド（４６）は、前記ｇおよびｈが式ｈ≦ｇを満たすように配置される。
この場合、転写領域（Ｑ4）を通過した記録シートの先端が前記直線Ｌ1に沿って搬送され、前記直線Ｌ3上に到達したとき、前記記録シート先端とトナー像担持ベルト（Ｂ）との間隔は、前記記録シート先端と前記下流側シートガイド（４６）との間隔よりも長い。したがって、記録シートは、間隔の長いトナー像担持ベルト（Ｂ）よりも、前記間隔の短い下流側シートガイド（４６）との間に形成される電界の影響を受け易くなる。
このため、前記記録シートがトナー像担持ベルト（Ｂ）から受ける静電力により記録シートがトナー像担持ベルト（Ｂ）に吸着される可能性が小さくなる。
【００２３】
【実施例】
次に図面を参照しながら、本発明の実施の形態の具体例（実施例）を説明するが、本発明は以下の実施例に限定されるものではない。
（実施例１）
図１は本発明の画像形成装置の実施例１の説明図である。図２は前記図１の要部拡大説明図で、図２Ａは前記図１の要部拡大図、図２Ｂは前記図２Ａの部分変更説明図である。図３は前記図２Ａの要部拡大図である。
図１において、画像形成装置Ｆは、ＵＩ（ユーザインタフェース）と、原稿（図示せず）を載置する透明なプラテンガラス２とを有している。前記ＵＩは、図示しないがコピースタートキー、フルカラーモード選択キー、テンキー、表示器等を有している。
【００２４】
フルカラーモードが選択された場合、前記プラテンガラス２上に置かれた原稿は原稿照明ユニット３の光源４により照明される。原稿反射光は、原稿照明ユニット３の第１ミラー５およびミラーユニット６の第２ミラー７および第３ミラー８で反射し、結像レンズ９を通って、ＣＣＤによりＲ（レッド），Ｇ（グリーン），Ｂ（ブルー）のアナログ信号として読み取られる。
ＣＣＤの読取画像信号は、コントローラＣにより制御されるＩＰＳに入力される。ＩＰＳの画像読取データ出力手段１１は、入力された読取画像信号をＡＤ変換し、画像データ出力手段１２は、画像メモリ１３を有し前記ＡＤ変換されたデータをＹ（イエロー），Ｍ（マゼンタ），Ｃ（シアン），Ｋ（黒）の画像データに変換して濃度補正、拡大縮小補正等のデータ処理を施し、書込用画像データ（レーザ駆動データ）として出力する。
【００２５】
レーザ駆動信号出力装置１４は、前記ＩＰＳから順次入力されるＹ，Ｍ，Ｃ，Ｋの画像データに応じた画像のレーザ駆動信号を所定のタイミングで、ＲＯＳ（光走査装置、すなわち、潜像形成装置）に順次出力する。前記ＲＯＳは、前記レーザ駆動信号により変調されたレーザビームＬを出力する。
回転移動する像担持体１６は帯電器１７により帯電された後に前記潜像書込位置Ｑ1において、前記レーザビームＬにより静電潜像が書き込まれ、前記静電潜像は現像領域Ｑ2において回転軸１８aと共に回転するＫ（黒）、Ｙ（イエロー）、Ｍ（マゼンタ）、Ｃ（シアン）の各色の現像装置１８k〜１８cを有するロータリ式の現像ユニット１８により順次各色のトナー像に現像される。現像された各色のトナー像は順次、１次転写領域Ｑ3において１次転写ロール（１次転写器）Ｔ1により中間転写ベルト（トナー像担持ベルト）Ｂに重ねて１次転写される。
前記１次転写領域Ｑ3を通過した像担持体１６表面は像担持体クリーナ２０により残留トナーが除去される。
【００２６】
前記中間転写ベルトＢは駆動ロール２５、テンションロール２６、アイドラロール２７，２８および内側２次転写ロール（バックアップロール）２９を含むベルト支持ロール２５〜２９により回転可能に支持されている。
前記内側２次転写ロール２９に前記中間転写ベルトＢを挟んで対向する位置には、外側２次転写ロール３０が内側２次転写ロール２９から離れた離隔位置および押圧される近接位置の間で離接可能（離隔および接近可能）に配置されている。前記内側２次転写ロール表面には電極ロール３１が接触しており、トナーの帯電極性（本実施例ではマイナス）と同極性の２次転写電圧が印加される。外側２次転写ロール３０の芯金はアースされている。
前記内側２次転写ロール２９、外側２次転写ロール３０および電極ロール３１により２次転写器Ｔ2が構成される。
【００２７】
前記２次転写器Ｔ2は、前記外側２次転写ロール３０および前記中間転写ベルトＢのニップ（接触領域）により形成される２次転写領域Ｑ4を通過する記録シートＳに、前記中間転写ベルトＢ上に重ねて１次転写されたトナー像を一括して２次転写する。
前記１次転写器ロール（１次転写器）Ｔ1および２次転写器Ｔ2の印加電圧は電源回路Ｅ（図２参照）の１次転写電源回路Ｅ1および２次転写電源回路Ｅ2から供給される。
前記外側２次転写ロール３０は２次転写ロールクリーナ３３により表面付着トナーが回収される。また、前記中間転写ベルトＢの表面に沿って、前記２次転写領域Ｑ4の下流側には剥離爪３４およびベルトクリーナ３５が配置されている。
【００２８】
また、前記中間転写ベルトＢの回転位置検出用のマークを検出するためのベルト位置センサＳＮ1が設けられている。ベルト位置センサＳＮ1から出力される中間転写ベルトＢの回転位置検出信号によって、像担持体１６に対する潜像書込タイミングの制御が行われる。
給紙トレイ４１に収容された記録シートＳは、ピックアップロール４２により取り出され、さばきロール４３で１枚づつ分離され、レジロール４４で一旦停止されて、所定のタイミングで記録シート案内部材４５から前記２次転写領域Ｑ4に搬送される。２次転写領域Ｑ4通過時に中間転写ベルトＢ上のトナー像が２次転写された記録シートＳはシートガイド（２次転写領域下流側シートガイド）４６、シート搬送ベルト４７により定着領域Ｑ6に搬送される。前記定着領域Ｑ6を通過する際に前記記録シートＳ上の２次転写トナー像は、定着装置４８の一対の定着ロールによって定着され、排紙トレイ４９に排出される。
前記符号４２〜４７により示された要素により、本実施例１のシート搬送装置（４２〜４７）が構成されている。
【００２９】
（中間転写ベルト（トナー像担持ベルト）Ｂ）
本実施例１において、前記中間転写ベルト（トナー像担持ベルト）Ｂは、アクリル、塩化ビニル、ポリエステル、ポリカーボ、ポリイミド等の樹脂または各種ゴムにカーボンブラック等の帯電防止剤を適当量含有させ、例えば厚さ０．１ｍｍに形成されており、その体積抵抗率は１０6〜１０14Ω・ｃｍに調整されている。ただし、この体積抵抗率は、あまり低いと２次転写の転写電界が拡がり、正規の２次転写領域Ｑ4よりも手前側で、記録シートと中間転写ベルトＢとの距離が開いた状態で転写が起こってしまい、トナー飛散を引き起こすし、逆にあまり抵抗を高くすると、帯電防止剤の密度が下がることになり、転写電界をかけていくと中間転写ベルトＢの抵抗値の経時低下が転写性の悪化として現れるので、特に対策を講じない限りは、体積抵抗率をさらに絞り込み、１０6〜１０8Ω・ｃｍに調整する事が望ましい。
【００３０】
このような低めの抵抗値に調整された中間転写ベルトＢを用いた場合、転写後の記録シートは内側２次転写ロール２９に印加されるバイアスと逆極性に帯電される傾向にある。（これは、転写ニップ部の抵抗が低くなったためにアースされた外側２次転写ロール３０からの逆極性電荷が流入し易くなるためと考えられる。）その結果、本発明によらなければ、２次転写後帯電して出てきた記録シートは、１０ｍｍ程頭を出したところで、外側２次転写ロール３０と内側２次転写ロール２９の間に形成されている電界から力を受けて中間転写ベルトＢに貼り付き、剥離不良を起こす。
【００３１】
（２次転写領域下流側の電界を調節する電界調節用導電性部材５１）
前記剥離不良防止のため、前記２次転写領域Ｑ4通過後の中間転写ベルトＢの内側に前記中間転写ベルトと非接触状態で前記中間転写ベルトに沿って、電界調節用導電性部材５１が配置されている。
前記電界調節用導電性部材５１には、前記内側２次転写ロール２９および外側２次転写ロール３０により２次転写領域Ｑ4下流側に形成される電界を小さくするための電位を付与する必要があるが、本実施例１では外側２次転写ロール３０がアースされているので、電界調節用導電性部材５１も導電部材５３によりアースされる。前記電界調節用導電性部材５１をアースする導電部材５３により本実施例１の電界調節電位付与手段が構成されている。
このように、電界調節用導電性部材５１を外側２次転写ロール３０とほぼ同電位に保つことによって、２次転写領域Ｑ4下流側に形成される前記電界を弱め、記録シートが中間転写ベルトＢ側（内側２次転写ロール２９側）に引っ張られることを防いでいる。以下で、より具体的に電位設定と電界抑制効果について説明する。
【００３２】
図２において、中間転写ベルトＢ上のマイナス帯電のトナーを転写するため、電極ロール３１を介して内側２次転写ロール２９表面に負のＤＣバイアス、例えば−２ｋＶを印加し、対向電極である外側２次転写ロール３０の芯金（金属シャフト）をアースして２次転写電界を形成する。
図４は内側２次転写ロール２９表面から外側２次転写ロール３０に至る電位の変遷を模式的に示した線グラフである。
図４の下側における横断面図に沿った内側２次転写ロール２９→外側２次転写ロール３０間の電位推移を示す模式図は、図４の上側の図の横断面と傍記された太い矢印が横切る部分の電位をプロットしている。
内側２次転写ロール２９の表面を横切る点では、内側２次転写ロール２９自体の沿面抵抗により、電極ロール３１との接点における電位−２ｋＶから数百Ｖ電圧降下した電位になっている。
【００３３】
一方、外側２次転写ロール３０表面は、内側２次転写ロール２９と、中間転写ベルトＢおよび記録シートを挟んで圧接している２次転写領域（転写Ｎｉｐ部）Ｑ4でも−数十〜−数百Ｖ程度の電位であり、ロールの回転に伴って前記２次転写領域（転写Ｎｉｐ部）Ｑ4から離れると、表面の電荷は急速にアースされた外側２次転写ロール３０の芯金（シャフト）に流れていってしまうので、前記横軸の線が外側２次転写ロール３０表面を横切る点では、電位はほとんど０Ｖになっている。
したがって、もし仮に前記電界調節用導電性部材５１が無いならば、内側２次転写ロール２９表面と外側２次転写ロール３０表面との間には１ｋＶ以上の電位差が生じていることになり、記録シートの搬送経路上には、外側２次転写ロール３０表面から内側２次転写ロール２９表面に向かう電界が形成されることになる（図４の下側図の太い破線で示されたグラフ）。
【００３４】
ここでアースされた電界調節用導電性部材５１を図２に示された所定の位置に入れてやると、外側２次転写ロール３０表面とはほとんど同電位であるので、記録シートの搬送経路上の電位勾配（電界強度）は著しく緩やかになる（図４の下側図の太い実線で示されたグラフ）。
すなわち、前記電界調節用導電性部材５１により２次転写領域Ｑ4通過後の記録シートに作用する電界が抑制される。ただし、その分内側２次転写ロール２９表面と電界調節用導電性部材５１の間の電界が強くなる（図４参照）。
外側２次転写ロール３０の表面層の抵抗が高い場合には、前記２次転写領域（転写Ｎｉｐ部）Ｑ4から離れた位置でも外側２次転写ロール３０表面が−数十〜−数百Ｖの電位を持っていることもある。しかしながら、その場合、充分な転写性を得るためには、全体の印加電圧を上げる必要があり、内側２次転写ロール２９表面の電位もそれに伴って（絶対値が）高くなるので、相対的な電位差は依然として、１ｋＶ程度のオーダーである。
【００３５】
したがって、この場合、電界調節用導電性部材５１をアースする代わりに、図２Ｂに示すように、バイアス印加電源５４（図２Ｂ参照）により−数百Ｖの電圧を印加してやることで、電界の発生を抑制し剥離不良を防ぐことができる。アースしていると、今度は逆向きに電界ができ、外側２次転写ロール３０に巻き付くような形で紙詰まりを起こすおそれがある。肝要なことは、外側２次転写ロール３０表面との電位差を（絶対値で）数百Ｖに抑えるように電界調節用導電性部材５１の電位を調整してやることである。おおむね電位差５００Ｖ程度に抑えてやれば効果が認められるが、秤量の低い薄紙まで確実に剥離するためには電位差３００Ｖ程度以下にするのが望ましい。
図２Ｂに示すように、前記バイアス印加電源５４を設けた場合には、前記バイアス印加電源５４が、前記転写領域Ｑ4下流側において前記外側転写部材３０および内側転写ロール２９間に形成される電界を弱める電位を前記電界調節用導電性部材５１に付与する電界調節電位付与手段を構成する。
【００３６】
次に、電界調節用導電性部材５１の置かれるべき位置について述べる。
図３には、前記２次転写領域（Ｎｉｐ）Ｑ4の開放点から電界調節用導電性部材５１先端までの中間転写ベルトＢに沿った距離ａ、中間転写ベルトＢに沿う方向の電界調節用導電性部材５１の幅ｂ、中間転写ベルトＢから電界調節用導電性部材５１までの垂直方向の距離ｃ、電界調節用導電性部材５１の、中間転写ベルトＢに対し垂直方向の厚みｄ、が記されている。
転写後の記録シートは、前記２次転写領域Ｑ4から１０ｍｍ程度出てきたところで、中間転写ベルトＢの方に持ち上げられ剥離不良が生じるので、中間転写ベルトＢの持ち上がり角度にもよるが、考え得る可能なａの値としては、８ｍｍ〜１２ｍｍが最も効果が高く、１４ｍｍ〜１８ｍｍでは、効果はあるが、高湿度の環境下における薄紙の剥離には不十分であり、２０ｍｍ以上になると、ほとんど効果が無くなる。
【００３７】
また、記録シートの排出スピードにもよるが、記録シートが自重で電界の力に打ち勝ち、まっすぐ排出されるには少なくとも２次転写領域Ｑ4から２０ｍｍ程度出て来ている必要があること、また、２次転写領域Ｑ4から２０ｍｍ程度離れれば、電界強度もかなり弱くなることから、ｂの設定はａ＋ｂ＝２０ｍｍとなる程度の幅で充分である。もちろん、もっと広くても発明の効果を奏する。
ｃ、ｄに関しては、特に他部材との干渉がなければ、どのように設定しても発明の効果には大きくは影響しない。ｃまたはｄの大きさは、電界調節用導電性部材５１と外側２次転写ロール３０との間の電位勾配に影響するが、実質的にはａを小さくするための制限を受けると考えた方がよい。ｃおよびｄを、可能な限り小さく設定すれば、ａを小さくできるからである。
以上、基本的にはａを小さくして、電界調節用導電性部材５１の先端を前記２次転写領域Ｑ4に近づけてやればやる程良いのであるが、電界調節用導電性部材５１と内側２次転写ロール２９との距離が、あまり近くなると、高湿度環境下で漏電が起こるので、電界調節用導電性部材５１と内側２次転写ロール２９との間に絶縁性の漏電防止部材（絶縁性遮蔽部材）５２が設けられている。
【００３８】
（実施例１の作用）
前記構成を備えた本発明の実施例１の画像形成装置では、内側転写ロール２９を含む複数の支持ロール２５〜２９により回転可能に支持された中間転写ベルト（トナー像担持ベルト）Ｂの表面にトナー像が形成される。
前記トナー像担持ベルトＢを挟んで前記内側転写ロール２９に対向して配置される外側転写部材３０は、前記トナー像担持ベルトＢとの間に転写領域Ｑ4を形成する。
シート搬送装置４２〜４７は、前記トナー像担持ベルトＢ上のトナー像が前記転写領域Ｑ4を通過する際に前記転写領域Ｑ4に記録シートを通過させる。
前記内側転写ロール２９、外側転写部材３０および電極ロール３１を有する転写器Ｔ2は、前記内側転写ロール２９および外側転写部材３０間に転写電圧が印加されたときに前記転写領域Ｑ4を通過する記録シート上に前記トナー像担持ベルトＢ上のトナー像を転写する。
前記転写領域Ｑ4通過後のトナー像担持ベルトＢ内側に前記トナー像担持ベルトＢと非接触状態で前記トナー像担持ベルトＢに沿って配置された電界調節用導電性部材５１は、電界調節電位付与手段５３（または５４）により、前記転写領域Ｑ4下流側において前記外側転写部材３０および内側転写ロール２９間に形成される電界を弱める電位が付与される。
したがって、転写領域Ｑ4を通過した記録シートをトナー像担持ベルトＢ側に引き寄せる電界が弱まるので、トナー像担持ベルトＢへの記録シートの吸着によるジャム（紙詰まり）が減少する。
【００３９】
（実施例２）
図５は本発明の画像形成装置の実施例２の説明図で、前記実施例１の図２に対応する図である。
なお、この実施例２の説明において、前記実施例１の構成要素に対応する構成要素には同一の符号を付して、その詳細な説明を省略する。
この実施例２は、下記の点で前記実施例１と相違しているが、他の点では前記実施例１と同様に構成されている。
図５において、前記電界調節用導電性部材５１と同様の電界調節用導電性部材５５が２次転写器Ｔ2の上流側に設けられているが、これは以上述べてきたものと全く同じ機構によって、２次転写領域Ｑ4の上流側の電界を抑制する。また、電界調節用導電性部材５５の下流端（内側２次転写ロール２９に対向する端部）は、絶縁性の漏電防止部材（絶縁性遮蔽部材）５６により被覆されている。
【００４０】
前記電界調節用導電性部材５５は、剥離には影響を及ぼさないが、２次転写領域Ｑ4手前（上流）の余分な電界によるトナー飛散（前述）を防ぐことに効果を発揮する。この図５では、２次転写領域Ｑ4上流側（手前側）に、記録シート案内部材４５が配置されているので、記録シート案内部材４５と中間転写ベルト（トナー像担持ベルト）Ｂ内側の電界調節用導電性部材５５とをともにアースする事で電位勾配を無くし、余分な転写電界を抑制している。
前記電界調節用導電性部材５５をアースする導電部材５７により、前記転写領域Ｑ4上流側において前記外側転写部材３０および内側転写ロール２９間に形成される電界を弱める電位を、前記電界調節用導電性部材５５に付与する電界調節電位付与手段が構成されている。
【００４１】
電界調節用導電性部材５５の取り付け位置に関する諸条件も、前記電界調節用導電性部材５１の条件と同様である。ただし、この実施例２においては、電界調節用導電性部材５５は中間転写ベルトＢと角度θをなして取り付けられている。この電界調節用導電性部材５５と中間転写ベルトＢとのなす角度も、前記パラメータｃ、ｄと同じく、装置の作用効果には重大な影響を及ぼさないので、他部材との干渉、漏電などの問題の起こらない限りは、比較的自由に設定することができるものの、やはり、ａを小さくすることを考えれば、角度θを小さくとった方が有利であることは言うまでもない。
【００４２】
（実施例３）
図６は本発明の画像形成装置の実施例３の説明図で、前記実施例２の図５に対応する図である。
なお、この実施例３の説明において、前記実施例２の構成要素に対応する構成要素には同一の符号を付して、その詳細な説明を省略する。
この実施例３は、下記の点で前記実施例２と相違しているが、他の点では前記実施例２と同様に構成されている。
図６において、２次転写領域Ｑ4通過後の記録シートをガイドするシートガイド４６と電界調節用導電性部材５１とをアースすることにより、前記内側２次転写ロール２９および外側２次転写ロール３０により形成される２次転写領域Ｑ4下流側の電界を小さくしている。これにより記録シートの剥離性を良くしている。
【００４３】
（実施例４）
図７は本発明の画像形成装置の実施例４の説明図で、前記実施例２の図５に対応する図である。
なお、この実施例４の説明において、前記実施例２の構成要素に対応する構成要素には同一の符号を付して、その詳細な説明を省略する。
この実施例４は、下記の点で前記実施例２と相違しているが、他の点では前記実施例２と同様に構成されている。
図７において、電極ロール３１がアースされ、外側２次転写ロール３０の芯金（シャフト）には正のＤＣバイアス、例えば、＋２ｋＶを印加して転写電界を形成する。この場合、前記内側２次転写ロール２９表面と外側２次転写ロール３０表面との間にできる前記２次転写領域Ｑ4下流側の電界は、実施例１の場合と同じであるが、今度は、外側２次転写ロール３０表面の電位はマイナスではなく、＋数十〜＋数百Ｖになっている。
したがって、この場合に記録シートの搬送経路上の電界を抑制するために、電界調節用導電性部材５１に＋数百Ｖの電圧が印加されている。これにより、前記内側２次転写ロール２９および外側２次転写ロール３０により形成される２次転写領域Ｑ4下流側の電界を小さくして、記録シートの剥離性を良くしている。
【００４４】
（実施例５）
図８は同実施例５の電界調節用導電性部材の説明図で、図８Ａは斜視図、図８Ｂは前記図８ＡのＶIIIＢ−ＶIIIＢ線断面図、図８Ｃは実施例５の電界調節用導電性部材の変形例の説明図である。図９は本発明の画像形成装置の実施例５の説明図で、図９Ａは記録シート先端が２次転写領域を通過した直後の状態を示す図、図９Ｂは記録シート先端が前記図９Ａの位置からさらに少し移動した状態を示す図である。
なお、この実施例５の説明において、前記実施例１の構成要素に対応する構成要素には同一の符号を付して、その詳細な説明を省略する。
この実施例５は、下記の点で前記実施例１と相違しているが、他の点では前記実施例１と同様に構成されている。
【００４５】
図８において、電界調節用導電性部材５１は、弾性の有る導電性発泡体により構成されており、絶縁性樹脂板（板状絶縁部材）５２に接着されている。すなわち、剛性の板状絶縁部材５２は、前記電界調節用導電性部材５１の前記トナー像担持ベルトＢと反対側部分を被覆する。また、前記電界調節用導電性部材５１は、中間転写ベルトＢに接触しても、中間転写ベルトＢを損傷しないように弾性体で構成されている。
なお、前記図８Ａ、図８Ｂに示す電界調節用導電性部材５１および絶縁性樹脂板５２は、図８Ｃに示すように、湾曲形状とすることが可能である。前記湾曲形状とすることにより、電界調節用導電性部材５１が中間転写ベルトＢと接触する際、電界調節用導電性部材５１の端縁ではなく湾曲面が滑らかに接触するため、、前記接触時の中間転写ベルトＢに与える力を少なくすることが可能となる。
【００４６】
図９において、２次転写領域Ｑ4の下流側には、前記下流側シートガイド４６との間に、記録シートの除電を行うためのデタックソー５８が配置されており、デタックソー５８には除電用電源５９の除電電圧が印加されている。
前記電界調節用導電性部材５１の前記内側転写ロール２９に近接する端部の位置である上流端をＰaとし、前記転写領域Ｑ4を通過する記録シートの進行方向に引いた直線Ｌ1と前記上流端Ｐaを通り且つ前記直線Ｌ1に垂直な直線Ｌ2との交点をＰbとし、前記直線Ｌ2とトナー像担持ベルトＢとの交点をＰcとし、前記ＰaおよびＰcの距離をｅ、ＰbおよびＰcの距離をｆとした場合に、前記内側転写ロール２９、前記外側転写部材３０および前記電界調節用導電性部材５１は、前記ｅおよびｆが式ｅ≦ｆを満たすように配置されている。
【００４７】
また、前記転写領域Ｑ4を通過する記録シートの進行方向に引いた直線Ｌ1と前記電界調節用導電性部材５１の前記内側転写ロール２９から離れた端部である下流端を通り且つ前記直線Ｌ1に垂直な直線Ｌ3との交点をＰ1、前記直線Ｌ3とトナー像担持ベルトＢとの交点をＰ2、前記直線Ｌ3と前記シートガイドとの交点をＰ3とし、前記Ｐ1およびＰ2間の距離をｇ、前記Ｐ1およびＰ3間の距離をｈとした場合に、前記内側転写ロール２９、前記外側転写部材３０、前記電界調節用導電性部材５１、前記トナー像担持ベルトＢおよび前記下流側シートガイド４６は、前記ｇおよびｈが式ｈ≦ｇを満たすように配置されている。
【００４８】
（実施例５の作用）
前記実施例５では、前記電界調節用導電性部材５１を内側転写ロール２９に接近して配置しても、前記電界調節用導電性部材５１の前記トナー像担持ベルトＢと反対側部分を被覆する剛性の板状絶縁部材５２により、電界調節用導電性部材５１および内側転写ロール２９間の放電を防止することができる。また、剛性の板状絶縁部材５２を使用することにより弾性材料製の電界調節用導電性部材５１を所定位置に板状に支持することができる。
図９に示すｅおよびｆが式ｅ≦ｆを満たすように配置される場合、転写領域Ｑ4を通過した記録シートの先端が前記直線Ｌ1に沿って搬送され、前記直線Ｌ2上に到達したとき、前記シート先端とトナー像担持ベルトＢとの間隔は、前記トナー像担持ベルトＢと前記電界調節用導電性部材５１との間隔よりも長い。したがって、トナー像担持ベルトＢが帯電している場合、トナー像担持ベルトＢは、前記間隔の短い電界調節用導電性部材５１との間で電荷の移動が行われるので、前記間隔の長い前記記録シートとの間の電界は小さくなる。
このため、前記記録シートがトナー像担持ベルトＢから受ける静電力は弱くなり、記録シートがトナー像担持ベルトＢに吸着され難くなる。
【００４９】
図９において、前記転写領域Ｑ4を通過した記録シートをガイドする前記下流側シートガイド４６は、ｇおよびｈが式ｈ≦ｇを満たすように配置される。
この場合、転写領域Ｑ4を通過した記録シートの先端が前記直線Ｌ1に沿って搬送され、前記直線Ｌ3上に到達したとき、前記記録シート先端とトナー像担持ベルトＢとの間隔は、前記記録シート先端と前記下流側シートガイド４６との間隔よりも長い。したがって、記録シートは、間隔の長いトナー像担持ベルトＢよりも、前記間隔の短い下流側シートガイド４６との間に形成される電界の影響を受け易くなる。
このため、前記記録シートがトナー像担持ベルトＢから受ける静電力により記録シートがトナー像担持ベルトＢに吸着される可能性が小さくなる。このため、記録シートがトナー像担持ベルトに吸着されて発生するジャムが少なくなる。
【００５０】
（変更例）
以上、本発明の実施例を詳述したが、本発明は、前記実施例に限定されるものではなく、特許請求の範囲に記載された本発明の要旨の範囲内で、種々の変更を行うことが可能である。本発明の変更実施例を下記に例示する。
（Ｈ01）本発明は複数の像担持体と前記複数の像担持体表面の移動経路にそれぞれ設定された各１次転写領域を順次通過する中間転写ベルトとを備えたタンデム型の画像形成装置にも適用可能である。
（Ｈ02）本発明は、中間転写ベルトＢの代わりに感光体ベルトを使用した画像形成装置にも適用可能である。その場合、感光体ベルト上のトナー像を記録シートに直接転写する転写器は２次転写器ではない。
（Ｈ03）前記実施例１〜４における外側２次転写ロール３０の代わりに、コロトロン式またはパッド式の転写部材を使用することが可能である。
【００５１】
【発明の効果】
前述の本発明の画像形成装置は、下記の効果を奏することができる。
（Ｅ01）除電用の高電圧電源を必要とする除電器を使用せずに、トナー像担持ベルトからの記録シートの剥離を安定して行うことができる。
（Ｅ02）記録シート搬送の障害となる可能性のある部材を記録シートの搬送経路上に配置せずに、トナー像担持ベルトからの記録シートの剥離を安定して行うことができる。
（Ｅ03）環境や記録シートの特性に依存せずに、トナー像担持ベルトからの記録シートの剥離を安定して行うことができる。
【図面の簡単な説明】
【図１】  図１は本発明の画像形成装置の実施例１の説明図である。
【図２】  図２は前記図１の要部拡大説明図で、図２Ａは前記図１の要部拡大図、図２Ｂは前記図２Ａの部分変更説明図である。
【図３】  図３は前記図２Ａの要部拡大図である。
【図４】  図４は内側２次転写ロール２９表面から外側２次転写ロール３０に至る電位の変遷を模式的に示した線グラフである。
【図５】  図５は本発明の画像形成装置の実施例２の説明図で、前記実施例１の図２に対応する図である。
【図６】  図６は本発明の画像形成装置の実施例３の説明図で、前記実施例２の図５に対応する図である。
【図７】  図７は本発明の画像形成装置の実施例４の説明図で、前記実施例２の図５に対応する図である。
【図８】  図８は同実施例５の電界調節用導電性部材の説明図で、図８Ａは斜視図、図８Ｂは前記図８ＡのＶIIIＢ−ＶIIIＢ線断面図、図８Ｃは実施例５の電界調節用導電性部材の変形例の説明図である。
【図９】  図９は本発明の画像形成装置の実施例５の説明図で、図９Ａは記録シート先端が２次転写領域を通過した直後の状態を示す図、図９Ｂは記録シート先端が前記図９Ａの位置からさらに少し移動した状態を示す図である。
【符号の説明】
Ｂ…トナー像担持ベルト（中間転写ベルト）、Ｑ4…転写領域（２次転写領域）、Ｔ2…転写器（２次転写器）、
２９…内側転写ロール、３０…外側転写部材（外側２次転写ロール）、５１…電界調節用導電性部材、５２…絶縁性遮蔽部材、５３；５４…電界調節電位付与手段、５５…電界調節用導電性部材、５６…絶縁性遮蔽部材、５７…電界調節電位付与手段、
（２５〜２９）…支持ロール、（４２〜４７）…シート搬送装置。
【図１】
0003635913.tif 000002
【図２】
0003635913.tif 000003
【図３】
0003635913.tif 000004
【図４】
0003635913.tif 000005
【図５】
0003635913.tif 000006
【図６】
0003635913.tif 000007
【図７】
0003635913.tif 000008
【図８】
0003635913.tif 000009
【図９】
0003635913.tif 000010